(57)【要約】【課題】生体装着部と情報検知部の接続作業を従来よりもさらに容易に実現することのできる生体情報検知ユニットを得る。【解決手段】生体情報検知ユニット１は、第１生体装着部２が、一方の面が生体と粘着可能であって、第１孔が形成された粘着層２０、基板層２１と、第１孔における粘着層２０の一方の面側を閉塞するように形成された第１導電体層２２と、第１孔の内部に形成され、第１導電体層２２の他方の面に形成された第１電極層２３と、第１孔の内部に形成され、第１電極層２３において第１導電体層２２が形成されている側の面と反対側の面に形成された第１磁性体２４とを備え、情報検知部３が、第１磁性体２４に吸着可能な第２磁性体３０と、第１磁性体２４に吸着した第２磁性体３０を介して第１第１電極層２３および第１導電体層２２と導電可能であって、生体に関する情報を検知可能な検知部３１とを備えている。【選択図】図２
2013088747.tif 000002
【特許請求の範囲】
【請求項１】
粘着手段を介して生体に装着され、上記生体に関する情報を電気信号に変換する電極部を有する生体装着部と、上記生体装着部に連結手段を介して着脱可能に連結され、上記電極部にて変換された上記生体に関する電気信号を検知する検知部を有する情報検知部とを含み、
上記連結手段が、上記生体装着部側で上記電極部と電気的に接続された一方の磁性体と、上記情報検知部側で上記検知部と電気的に接続された他方の磁性体とを含み、上記一方の磁性体および／または上記他方の磁性体が磁石材からなり、上記連結手段により上記生体装着部と上記情報検知部とが上記磁石材による磁気的な吸着力にて機械的に連結されるに伴って、上記各磁性体を介して上記電極部と上記検知部とが電気的に接続されることを特徴とする生体情報検知ユニット。
【請求項２】
生体に装着可能な第１生体装着部と、上記生体に関する情報を検知可能な情報検知部とを備えた生体情報検知ユニットであって、
上記第１生体装着部が、一方の面が上記生体と粘着可能であって、第１孔が形成された第１樹脂層と、上記第１孔における上記第１樹脂層の一方の面の側を閉塞するように形成された第１導電体層と、上記第１孔の内部に形成され、上記第１導電体層の他方の面に形成された第１電極層と、上記第１孔の内部に形成され、上記第１電極層において上記第１導電体層が形成されている側の面と反対側の面に形成された第１磁性体とを備え、
上記情報検知部が、上記第１磁性体に吸着可能な第２磁性体と、上記第１磁性体に吸着した上記第２磁性体を介して上記第１電極層および上記第１導電体層と導電可能であって、上記生体に関する情報を検知可能な検知部とを備えていることを特徴とする生体情報検知ユニット。
【請求項３】
上記第１樹脂層、上記第１導電体層および上記第１電極層の積層方向に対して実質的に直交する方向に、上記第１生体装着部と一定間隔を隔てて形成された第２生体装着部と、
上記第１樹脂層、上記第１導電体層および上記第１電極層の積層方向に対して実質的に直交する方向に、上記情報検知部と一定間隔を隔てて形成された電源供給部とを備え、
上記第２生体装着部が、一方の面が上記生体と粘着可能であって、第２孔が形成された第２樹脂層と、上記第２孔における上記第２樹脂層の一方の面の側を閉塞するように形成された第２導電体層と、上記第２孔の内部に形成され、上記第２導電体層の他方の面に形成された第２電極層と、上記第２孔の内部に形成され、上記第２電極層において上記第２導電体層が形成されている側の面と反対側の面に形成された第３磁性体とを有し、
上記電源供給部が、上記第２生体装着部の上記第３磁性体に吸着可能な上記第４磁性体を有し、上記第１生体装着部の上記第１樹脂層および上記第２生体装着部の上記第２樹脂層が、上記第１導電体層と上記第２導電体層との間および上記第１電極層と上記第２電極層との間に介在して絶縁しつつ一体的に形成されていることを特徴とする請求項２に記載の生体情報検知ユニット。
【請求項４】
上記第１樹脂層、上記第１導電体層および上記第１電極層の積層方向に対して直交する方向に、上記第１生体装着部または上記第２生体装着部と一定間隔を隔てて形成された第３生体装着部と、
上記第１樹脂層、上記第１導電体層、および、上記第１電極層の積層方向に対して実質的に直交する方向に、上記情報検知部または上記電源供給部と一定間隔を隔てて、上記第３生体装着部に対向するように取り付け可能に形成され、上記電源供給部から電源供給可能であるとともに、上記情報検知部の検知結果を外部ユニットに送信可能な情報送信部とを備え、
上記第３生体装着部が、一方の面が上記生体と粘着可能であって、第３孔が形成された第３樹脂層と、上記第３孔における上記第３樹脂層の一方の面の側を閉塞するように形成された第３導電体層と、上記第３孔の内部に形成され、上記第３導電体層の他方の面に形成された第３電極層と、上記第３孔の内部に形成され、上記第３電極層において上記第３導電体層が形成されている側の面と反対側の面に形成された第５磁性体とを有し、
上記情報送信部が、上記第３生体装着部の上記第５磁性体に吸着可能な上記第６磁性体を有し、上記第１生体装着部の上記第１樹脂層および上記第２生体装着部の上記第２樹脂層が、上記第１導電体層と上記第２導電体層との間および上記第１電極層と上記第２電極層との間に介在して絶縁しつつ一体的に形成されており、
上記第２生体装着部の上記第２樹脂層および上記第３生体装着部の上記第３樹脂層が、上記第２導電体層と上記第３導電体層との間および上記第２電極層と上記第３電極層との間に介在して絶縁しつつ一体的に形成されていることを特徴とする請求項３に記載の生体情報検知ユニット。
【請求項５】
一方の面が上記生体と粘着可能であって、第２孔が形成された第２樹脂層と、上記第２孔における上記第２樹脂層の一方の面の側を閉塞するように形成された第２導電体層と、上記第２孔の内部に形成され、上記第２導電体層の他方の面に形成された第２電極層と、上記第２孔の内部に形成され、上記第２電極層において上記第２導電体層が形成されている側の面と反対側の面に形成された第３磁性体とを有した第２生体装着部と、
上記第２生体装着部に対向するように取り付け可能に形成され、上記第２生体装着部の上記第３磁性体に吸着可能な上記第４磁性体を有した電源供給部と、
一方の面が上記生体と粘着可能であって、第３孔が形成された第３樹脂層と、上記第３孔における上記第３樹脂層の一方の面の側を閉塞するように形成された第３導電体層と、上記第３孔の内部に形成され、上記第３導電体層の他方の面に形成された第３電極層と、上記第３孔の内部に形成され、上記第３電極層において上記第３導電体層が形成されている側の面と反対側の面に形成された第５磁性体とを有した第３生体装着部と、
上記第３生体装着部に対向するように取り付け可能に形成され、上記電源供給部から電源供給可能であるとともに、上記情報検知部の検知結果を外部ユニットに送信可能であって、上記第３生体装着部の上記第５磁性体に吸着可能な上記第６磁性体を有した情報送信部とを備え、
上記電源供給部が、伸縮可能な第１導電線を介して上記情報検知部と接続され、上記情報送信部が、伸縮可能な第２導電線を介して上記情報検知部と接続され、上記第２生体装着部が、上記第１導電線の伸縮に応じて上記第１生体装着部との間の距離を調整可能に配置され、上記第３生体装着部が、上記第２導電線の伸縮に応じて上記第１生体装着部との間の距離を調整可能に配置されたことを特徴とする請求項２に記載の生体情報検知ユニット。
【請求項６】
上記電源供給部が、充電型の電池として構成され、
上記第２磁性体および上記第４磁性体のうち少なくとも１つが磁石であることを特徴とする請求項３〜５のいずれか１項に記載の生体情報検知ユニット。
【請求項７】
上記電源供給部が、非充電型の電池として構成され、
上記第１磁性体および上記第３磁性体のうち少なくとも１つが磁石であることを特徴とする請求項３〜５のいずれか１項に記載の生体情報検知ユニット。
【請求項８】
上記樹脂層が多孔層として形成されていることを特徴とする請求項２〜７のいずれか１項に記載の生体情報検知ユニット。
【請求項９】
上記電極層を水素よりもイオン化傾向が小さい金属で形成していることを特徴とする請求項２〜８のいずれか１項に記載の生体情報検知ユニット。
【請求項１０】
上記樹脂層が、上記樹脂層における上記各磁性体の上記電極層と反対側において上記各孔の一部として形成された凹部を備え、
上記各生体装着部における上記各磁性体が、上記凹部と略同形状の凸部を備えていることを特徴とする請求項２〜９のいずれか１項に記載の生体情報検知ユニット。
【請求項１１】
上記各導電体層が、上記生体に粘着可能な材料を含むものであることを特徴とする請求項２〜１０のいずれか１項に記載の生体情報検知ユニット。
【発明の詳細な説明】
【技術分野】
【０００１】
本発明は、生体に関する生体情報を検知可能な生体情報検知ユニットに関するものである。
【背景技術】
【０００２】
生体情報を検知するため、例えば特許文献１には、生体の表面に装着可能な生体装着部と、この生体装着部にコネクタを介して接続可能な送信機とを含み、生体に装着された電極で検知された生体信号を、診断のためにアンテナを介してコンピュータ診断装置等に無線送信するシステムが提案されている。【０００３】
このシステムにおいて、生体装着部には、支持体上にループアンテナおよび電極が一体的に取り付けられており、送信機には、増幅部、変調部、電源部および送信部を有する電気回路が設けられている。【０００４】
これによれば、生体装着部の支持体を生体表面に装着することにより、電極で検知された生体信号が、増幅部で増幅され変調部で変調されたのち、送信部からループアンテナを介して外部のコンピュータ診断装置等に送信される。
【先行技術文献】
【特許文献】
【０００５】
【特許文献１】特開平１１−２６２４７６号公報
【発明の概要】
【発明が解決しようとする課題】
【０００６】
しかしながら、上記従来のシステムでは、生体装着部と送信機の各ユニットをホックを含むコネクタを介して接続するようにしているため、その接続作業が容易に行えない、という問題がある。【０００７】
そこで、本発明の課題は、生体装着部と情報検知部の接続作業を従来よりもさらに容易に実現することのできる生体情報検知ユニットを提供することにある。
【課題を解決するための手段】
【０００８】
上記課題を解決するため、本発明はいくつかの特徴的な構成を備えている。まず、第１の発明の生体情報検知ユニットは、粘着手段を介して生体に装着され、上記生体に関する情報を電気信号に変換する電極部を有する生体装着部と、上記生体装着部に連結手段を介して着脱可能に連結され、上記電極部にて変換された上記生体に関する電気信号を検知する検知部を有する情報検知部とを含み、上記連結手段が、上記生体装着部側で上記電極部と電気的に接続された一方の磁性体と、上記情報検知部側で上記検知部と電気的に接続された他方の磁性体とを含み、上記一方の磁性体および／または上記他方の磁性体が磁石材からなり、上記連結手段により上記生体装着部と上記情報検知部とが上記磁石材による磁気的な吸着力にて機械的に連結されるに伴って、上記各磁性体を介して上記電極部と上記検知部とが電気的に接続されることを特徴としている。【０００９】
なお、本明細書において、「生体」とは、例えば、ヒト、サル、マウス、ラット、ウサギ等の哺乳動物およびその他の脊椎動物を含み、また、「生体に関する情報」とは、心拍数等の心臓の活動に関する情報、脈拍に関する情報、目（まばたき）、脚、顎、脚、手、首、腰等の身体部分を動かしている際の筋肉の活動に関する情報および脳波等の脳から生じる電気活動に関する情報を含む。【００１０】
第２の発明は、生体に装着可能な第１生体装着部と、上記生体に関する情報を検知可能な情報検知部とを備えた生体情報検知ユニットであって、上記第１生体装着部が、一方の面が上記生体と粘着可能であって、第１孔が形成された第１樹脂層と、上記第１孔における上記第１樹脂層の一方の面の側を閉塞するように形成された第１導電体層と、上記第１孔の内部に形成され、上記第１導電体層の他方の面に形成された第１電極層と、上記第１孔の内部に形成され、上記第１電極層において上記第１導電体層が形成されている側の面と反対側の面に形成された第１磁性体とを備え、上記情報検知部が、上記第１磁性体に吸着可能な第２磁性体と、上記第１磁性体に吸着した上記第２磁性体を介して上記第１電極層および上記第１導電体層と導電可能であって、上記生体に関する情報を検知可能な検知部とを備えていることを特徴としている。【００１１】
上記第２の発明によれば、第１生体装着部と情報検知部とを第１および第２磁性体同士の吸着によって接続することが可能であるので、第１生体装着部と情報検知部との接続・分離作業を従来よりもさらに容易に実現することができる。【００１２】
第３の発明は、上記第２の発明において、上記第１樹脂層、上記第１導電体層および上記第１電極層の積層方向に対して実質的に直交する方向に、上記第１生体装着部と一定間隔を隔てて形成された第２生体装着部と、上記第１樹脂層、上記第１導電体層および上記第１電極層の積層方向に対して実質的に直交する方向に、上記情報検知部と一定間隔を隔てて形成された電源供給部とを備え、上記第２生体装着部が、一方の面が上記生体と粘着可能であって、第２孔が形成された第２樹脂層と、上記第２孔における上記第２樹脂層の一方の面の側を閉塞するように形成された第２導電体層と、上記第２孔の内部に形成され、上記第２導電体層の他方の面に形成された第２電極層と、上記第２孔の内部に形成され、上記第２電極層において上記第２導電体層が形成されている側の面と反対側の面に形成された第３磁性体とを有し、上記電源供給部が、上記第２生体装着部の上記第３磁性体に吸着可能な上記第４磁性体を有し、上記第１生体装着部の上記第１樹脂層および上記第２生体装着部の上記第２樹脂層が、上記第１導電体層と上記第２導電体層との間および上記第１電極層と上記第２電極層との間に介在して絶縁しつつ一体的に形成されていることを特徴としている。【００１３】
上記第３の発明によれば、各樹脂層が一体的に形成された第１および第２生体装着部に対しても、第１および第２磁性体同士、第３および第４磁性体同士の吸着を利用すれば、第１および第２生体装着部と、情報検知部および電源供給部とを容易に接続することができる。【００１４】
第４の発明は、上記第３の発明において、上記第１樹脂層、上記第１導電体層および上記第１電極層の積層方向に対して実質的に直交する方向に、上記第１生体装着部または上記第２生体装着部と一定間隔を隔てて形成された第３生体装着部と、上記第１樹脂層、上記第１導電体層および上記第１電極層の積層方向に対して実質的に直交する方向に、上記情報検知部または上記電源供給部と一定間隔を隔てて、上記第３生体装着部に対向するように取り付け可能に形成され、上記電源供給部から電源供給可能であるとともに、上記情報検知部の検知結果を外部ユニットに送信可能な情報送信部とを備え、上記第３生体装着部が、一方の面が上記生体と粘着可能であって、第３孔が形成された第３樹脂層と、上記第３孔における上記第３樹脂層の一方の面の側を閉塞するように形成された第３導電体層と、上記第３孔の内部に形成され、上記第３導電体層の他方の面に形成された第３電極層と、上記第３孔の内部に形成され、上記第３電極層において上記第３導電体層が形成されている側の面と反対側の面に形成された第５磁性体とを有し、上記情報送信部が、上記第３生体装着部の上記第５磁性体に吸着可能な上記第６磁性体を有し、上記第１生体装着部の上記第１樹脂層および上記第２生体装着部の上記第２樹脂層が、上記第１導電体層と上記第２導電体層との間および上記第１電極層と上記第２電極層との間に介在して絶縁しつつ一体的に形成されており、上記第２生体装着部の上記第２樹脂層および上記第３生体装着部の上記第３樹脂層が、上記第２導電体層と上記第３導電体層との間および上記第２電極層と上記第３電極層との間に介在して絶縁しつつ一体的に形成されていることを特徴としている。【００１５】
上記第４の発明によれば、各樹脂層が一体的に形成された第１〜第３生体装着部に対しても、第１および第２磁性体同士、第３および第４磁性体同士、第５および第６磁性体同士の吸着を利用すれば、第１〜第３生体装着部と、情報検知部、電源供給部および情報送信部とを容易に接続することができる。さらに、情報検知部の検知結果を外部ユニットに送信可能な別ユニットが不要となり、別ユニットを用いて外部ユニットに送信する場合よりも部品点数を減らすことが可能となる。【００１６】
第５の発明は、上記第２の発明において、一方の面が上記生体と粘着可能であって、第２孔が形成された第２樹脂層と、上記第２孔における上記第２樹脂層の一方の面の側を閉塞するように形成された第２導電体層と、上記第２孔の内部に形成され、上記第２導電体層の他方の面に形成された第２電極層と、上記第２孔の内部に形成され、上記第２電極層において上記第２導電体層が形成されている側の面と反対側の面に形成された第３磁性体とを有した第２生体装着部と、上記第２生体装着部に対向するように取り付け可能に形成され、上記第２生体装着部の上記第３磁性体に吸着可能な上記第４磁性体を有した電源供給部と、一方の面が上記生体と粘着可能であって、第３孔が形成された第３樹脂層と、上記第３孔における上記第３樹脂層の一方の面の側を閉塞するように形成された第３導電体層と、上記第３孔の内部に形成され、上記第３導電体層の他方の面に形成された第３電極層と、上記第３孔の内部に形成され、上記第３電極層において上記第３導電体層が形成されている側の面と反対側の面に形成された第５磁性体とを有した第３生体装着部と、上記第３生体装着部に対向するように取り付け可能に形成され、上記電源供給部から電源供給可能であるとともに、上記情報検知部の検知結果を外部ユニットに送信可能であって、上記第３生体装着部の上記第５磁性体に吸着可能な上記第６磁性体を有した情報送信部とを備え、上記電源供給部が、伸縮可能な第１導電線を介して上記情報検知部と接続され、上記情報送信部が、伸縮可能な第２導電線を介して上記情報検知部と接続され、上記第２生体装着部が、上記第１導電線の伸縮に応じて上記第１生体装着部との間の距離を調整可能に配置され、上記第３生体装着部が、上記第２導電線の伸縮に応じて上記第１生体装着部との間の距離を調整可能に配置されることを特徴としている。【００１７】
上記第５の発明によれば、第１および第２生体装着部の間の距離を第１導電線の伸縮に応じて調整可能であるとともに、第１および第３生体装着部の間の距離を第２導電線の伸縮に応じて調整可能であるので、情報検知部、電源供給部および情報送信部のそれぞれに取り付けられる第１〜第３生体装着部の間の距離を、生体情報検知ユニットの用途に応じて調整することができる。その結果、牛または鳥等の生体に第１〜第３生体装着部を装着して、生体内に蓄積される体脂肪量の測定または生体の脳波の測定といった生体の健康管理を行う際に、第１および第２導電線が生体の動きによって引っ張られたとしても、第１〜第３生体装着部が生体から外れ難くすることができる。また、被験者であるヒトに第１〜第３生体装着部を装着して、目（まばたき）、脚、顎、脚、手、首、腰等の身体部分における筋肉の活動に関する情報を検知する際に、第１および第２導電線がヒトの筋肉の動きによって引っ張られたとしても、第１〜第３生体装着部がヒトから外れ難くすることができる。【００１８】
第６の発明は、上記第３ないし第５の発明のいずれか一つの発明において、上記電源供給部が、充電型の電池として構成され、上記第２磁性体および上記第４磁性体のうち少なくとも１つが磁石であることを特徴としている。なお、上記第３の発明または第４の発明において、上記第２磁性体、上記第４磁性体および上記第６磁性体のうち少なくとも１つが磁石であることが好ましい。【００１９】
上記第６の発明によれば、鉄板等を第１磁性体として使用するとともに、鉄板等よりも高価な磁石を第２磁性体として使用した場合に、電源供給部を充電型の電池で構成することで、情報検知部または情報送信部を使い捨てることなく使い続けることができる。その結果、情報検知部または情報送信部を使い捨てる場合よりも、情報検知部または情報送信部の交換等による生体情報検知ユニットの管理コストを低減できる。また、鉄板等を第３磁性体として使用するとともに、鉄板等よりも高価な磁石を第４磁性体として使用した場合でも同様である。さらに、上記第３の発明または第４の発明において、鉄板等を第５磁性体として使用するとともに、鉄板等よりも高価な磁石を第６磁性体として使用した場合でも同様である。また、これらの構成を適宜組み合わせた場合には、磁力を利用することによって、より容易に各部を適切な位置に取り付けることができるとともに、電気的に接続することが可能となる。【００２０】
第７の発明は、上記第３ないし第５の発明のいずれか一つの発明において、上記電源供給部が、非充電型の電池として構成され、上記各生体装着部における上記各磁性体のうち少なくとも１つが磁石であることを特徴としている。なお、上記第４の発明または第５の発明において、上記第１磁性体、上記第３磁性体および上記第５磁性体のうち少なくとも１つが磁石であることが好ましい。【００２１】
上記第７の発明によれば、磁石を第１磁性体として使用するとともに、磁石よりも低価格の鉄板等を第２磁性体として使用した場合に、電源供給部を充電不可能な非充電型の電池で構成することで、情報検知部または情報送信部を使い捨てるとともに、各生体装着部を所定期間使い捨てることなく使い続けることができる。その結果、各生体装着部を使い捨てる場合よりも、各生体装着部の交換等による生体情報検知ユニットの管理コストを低減できる。また、磁石を第３磁性体として使用するとともに、磁石よりも低価格の鉄板等を第４磁性体として使用した場合でも同様である。さらに、上記第４の発明または第５の発明において、磁石を第５磁性体として使用するとともに、磁石よりも低価格の鉄板等を第６磁性体として使用した場合でも同様である。また、これらの構成を適宜組み合わせた場合には、磁力を利用することによって、より容易に各部を適切な位置に取り付けることができるとともに、電気的に接続することが可能となる。【００２２】
第８の発明は、上記第２ないし第７の発明のいずれか一つの発明において、上記樹脂層が多孔層として形成されていることを特徴としている。なお、ここでの「多孔層」として使用可能な材料は、寒天、ＰＤＭＳ（ｐｏｌｙｄｉｍｅｔｈｙｌｓｉｌｏｘａｎｅ）、および、ポリウレタン類縁体を含む。【００２３】
上記第８の発明によれば、多孔層の各孔に汗（水分）を通過させることで、すなわち、水分が樹脂層を浸透可能に構成することで、樹脂層および導電体層の粘着強度を維持できる。【００２４】
第９の発明は、上記第２ないし第８の発明のいずれか一つの発明において、上記電極層を水素よりもイオン化傾向が小さい金属で形成していることを特徴としている。【００２５】
上記第９の発明によれば、電極層を水素よりもイオン化傾向が小さい金属（例えば、銀）で形成することで、電極層が水分との化学反応による影響を受け難くでき、情報検知部による検知を安定して行うことができる。【００２６】
第１０の発明は、上記第２ないし第９の発明のいずれか一つの発明において、上記樹脂層が、上記第１磁性体の上記電極層と反対側において上記孔の一部として形成された凹部を備え、上記第２磁性体が、上記凹部と略同形状の凸部を備えていることを特徴としている。【００２７】
上記第１０の発明によれば、凹部と、該凹部と形状が略一致する凸部とを用いるので、第１および第２磁性体同士が接続される際の位置合わせを容易に行うことができる。【００２８】
また、第１１の発明は、上記第２ないし第１０の発明のいずれか一つの発明において、上記各導電体層が、上記生体に粘着可能な材料を含むものであることを特徴としている。【００２９】
上記第１１の発明によれば、さらに生体への粘着性が向上する。
【図面の簡単な説明】
【００３０】
【図１】本発明の第１実施形態に係る生体情報検知ユニットを適用した生体情報検知システムの全体構成を概略的に示すブロック図である。
【図２】（ａ）は、生体情報検知ユニットの上面視図であり、（ｂ）は、図２（ａ）に示すＡ−Ａ線の矢視断面図であって、第１生体装着部と情報検知部とを接続した状態を示す側断面図である。
【図３】図２に示す生体情報検知ユニットの第１生体装着部と情報検知部とが接続される前の状態を示す側断面図である。
【図４】本発明の第２実施形態に係る生体情報検知ユニットを適用した生体情報検知システムの全体構成を概略的に示すブロック図である。
【図５】（ａ）は、生体情報検知ユニットの上面視図であり、（ｂ）は、図５（ａ）に示すＢ−Ｂ線の矢視断面図であって、第１および第２生体装着部と、情報検知部および電源供給部とを接続した状態を示す側断面図である。
【図６】図５に示す生体情報検知ユニットの第１および第２生体装着部と、情報検知部および電源供給部とが接続される前の状態を示す側断面図である。
【図７】本発明の第３実施形態に係る生体情報検知ユニットを適用した生体情報検知システムの全体構成を概略的に示すブロック図である。
【図８】（ａ）は、生体情報検知ユニットの上面視図であり、（ｂ）は、図８（ａ）に示すＣ−Ｃ線の矢視断面図であって、第１〜第３生体装着部と、情報検知部、電源供給部、および、情報送信部とを接続した状態を示す側断面図である。
【図９】図８に示す生体情報検知ユニットの第１〜第３生体装着部と、情報検知部、電源供給部、および、情報送信部とが接続される前の状態を示す側断面図である。
【図１０】本発明の第４実施形態に係る生体情報検知ユニットを適用した生体情報検知システムの全体構成を概略的に示すブロック図である。
【図１１】生体情報検知ユニットの上面視図である。
【図１２】（ａ）は、図１１に示すＤ−Ｄ線の矢視断面図であって、第１生体装着部と情報検知部とを接続した状態を示す側断面図である。（ｂ）は、図１１に示すＥ−Ｅ線の矢視断面図であって、第２生体装着部と電源供給部とを接続した状態を示す側断面図である。（ｃ）は、図１１に示すＦ−Ｆ線の矢視断面図であって、第３生体装着部と情報送信部とを接続した状態を示す側断面図である。
【図１３】第１生体装着部と情報検知部とが接続される前の状態を示す側断面図である。
【図１４】カールパッチケーブルの概略図である。
【発明を実施するための最良の形態】
【００３１】
＜第１実施形態＞
次に、図１〜図３を参照しながら、本発明の第１実施形態に係る生体情報検知ユニットについて説明する。なお、図２（ａ）においては、説明の都合上、第２磁性体３０および検知部３１の外形線（仮想線）を、それぞれ、樹脂層３２において第１生体装着部２が接続される面と反対側の面から透視した際の点線および破線によって表している。【００３２】
（生体情報検知システム１００の全体構成）
図１に示すように、この実施形態の生体情報検知ユニット１を適用した生体情報検知システム１００は、生体に関する情報を検知可能な生体情報検知ユニット１と、情報送信部１０１と、送受信ユニット１０２と、パーソナルコンピュータ１０３とを備えている。【００３３】
情報送信部１０１は、生体情報検知ユニット１の検知結果を受信可能であって、受信した検知結果を送受信ユニット１０２に送信する。送受信ユニット１０２は、情報送信部１０１から受信した上記検知結果をパーソナルコンピュータ１０３に送信する。【００３４】
なお、本発明において、「生体」とは、例えば、ヒト、サル、マウス、ラット、ウサギ等の哺乳動物およびその他の脊椎動物を含み、また、「生体に関する情報」とは、心拍数等の心臓の活動に関する情報、目、脚または顎等を動かしている際の筋肉の活動に関する情報および脳波等の脳から生じる電気活動に関する情報を含む。【００３５】
パーソナルコンピュータ１０３は、画像を表示可能なディスプレイ１０３ａ、コマンドまたは数値等を入力可能なキーボード１０３ｂおよび図示しない制御装置を備える。【００３６】
上記制御装置は、パーソナルコンピュータ１０３内の各装置を制御するＣＰＵ、ハードディスクおよびドライブ装置等を有しており、送受信ユニット１０２から受信した上記検知結果を収集して解析を行い、これらのデータを適宜記憶する。【００３７】
なお、この実施形態において、各ユニット間の通信には無線方式が採用されている。その一例として、無線ＬＡＮ（Ｌｏｃａｌ  Ａｒｅａ  Ｎｅｔ  ｗｏｒｋ）のＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ｂ  に準拠して構成することができる。【００３８】
（生体情報検知ユニット１の全体構成）
図２（ｂ）に示すように、生体情報検知ユニット１は、生体に装着可能な第１生体装着部２と、生体に関する情報を検知可能な情報検知部３とを備えている。【００３９】
（第１生体装着部２の構成）
第１生体装着部２は、実質的に直方体状の板状体として形成され、図２（ｂ）に示すように、基板層２１および粘着層２０の２層からなる第１樹脂層１９と、第１導電体層２２と、第１電極層２３と、第１磁性体２４とを備えている。【００４０】
第１樹脂層１９は、基板層２１と、基板層２１の一方の面に接着形成された粘着層２０とからなる。基板層２１および粘着層２０は、寒天、ＰＤＭＳおよび／またはポリウレタン類縁体等により多孔層として形成されており、粘着層２０の一方の面２０ａが生体と粘着可能となっている。【００４１】
図２（ｂ）に示すように、粘着層２０の他方の面２０ｂと、基板層２１の一方の面２１ａは互いに接合されている。また、粘着層２０および基板層２１には、それぞれ、粘着層２０および基板層２１の積層方向に沿って延びていて相互に連通する第１孔を形成する孔２０ｃ，２１ｂが形成されている。【００４２】
また、基板層２１は、第１磁性体２４の第１電極層２３と反対側において孔２１ｂの一部として形成され、各孔２０ｃ，２１ｂと連通するとともに、各孔２０ｃ，２１ｂの内径よりも小さい径の凹部２１ｃを有している。【００４３】
第１導電体層２２は、寒天、ＰＤＭＳおよび／またはポリウレタン類縁体等の生体に粘着可能な材料を基体として、導電性物質（導電性フィラー（例えば、金属粒子等））を含有するものであって、一方の面２２ａが生体と粘着可能となっている。この第１導電体層２２は、孔２０ｃにおける粘着層２０の一方の面２０ａの側を閉塞するように形成されており、一方の面２２ａが粘着層２０の一方の面２０ａと同一面上に配置されている。【００４４】
第１電極層２３は、銀または塩化銀等の導電性材料からなり、孔２０ｃ，２１ｂの内部に形成されるとともに、第１導電体層２２の他方の面２２ｂ上に配置されている。【００４５】
第１磁性体２４は、鉄等の磁性を帯びることが可能な材料からなり、孔２１ｂの内部に形成されるとともに、第１電極層２３のうちの第１導電体層２２が形成されている側の面２３ａと反対側の面２３ｂ上に配置されている。【００４６】
ここで、第１生体装着部２の製法の一例としては、型枠（情報検知部３の第２磁性体３０が合わさるように凹凸状に形成した型）にＰＤＭＳを流し込む工程、銀インクを用いて銀層（第１電極層２３に相当）を片面に被覆した磁性基板（第１磁性体２４に相当）を、まだ固まっていないＰＤＭＳの一方の面に載せて８０℃の温度条件下で３０分間焼成する工程、第１電極層２３に相当する銀表面をＫＣｌ溶液またはＮａＣｌ溶液で処理し、上記銀層（第１電極層２３に相当）表面を第１導電体層２２で被覆する工程、上記ＰＤＭＳの第１導電体層２２側に粘着層２０を形成すべく粘着性ＰＤＭＳを流し込み８０℃の温度条件下で３０分間反応させる工程、を順次行うことによる製法を挙げることができる。【００４７】
（情報検知部３の構成）
情報検知部３は、図２（ａ）に示した第１生体装着部２と実質的に同形状の板状体として形成されており、図２（ｂ）に示すように、第２磁性体３０と、検知部３１と、樹脂層３２とを備えている。【００４８】
第２磁性体３０は、フェライト磁石（Ｆｅｒｒｉｔｅ  ｍａｇｎｅｔ）等の磁性を帯びることが可能な磁性材料からなる板状体であり、図２（ａ）中の点線で示すように、中心Ｃ１を有する実質的に円形状の外周面を有している。【００４９】
図２（ｂ）に示すように、第２磁性体３０は、基板層２１に形成された上記凹部２１ｃと実質的に同形状の凸部３０ａを有しており、この凸部３０ａを凹部２１ｃに嵌合することにより第１磁性体２４に当接して、第１磁性体２４を吸着する。【００５０】
検知部３１は、白金測温抵抗体またはサーミスタ測温体等の検知素子を有し、図２（ａ）中の破線で示すように、第２磁性体３０の外形線（図２（ａ）中の点線）よりも外側において第２磁性体３０の外周面と中心Ｃ１を共有する実質的に円形状に形成されている。【００５１】
この検知部３１は、図２（ｂ）に示すように、電気配線Ｗ１を介して第２磁性体３０と電気的に接続されている。これにより、検知部３１は、第２磁性体３０を介して第１導電体層２２および第１電極層２３と電気的に接続され、第１導電体層２２から生体に関する情報を得る。【００５２】
樹脂層３２は、寒天、ＰＤＭＳおよび／またはポリウレタン類縁体等により多孔層として形成されており、図２（ｂ）に示すように、その内部に第２磁性体３０のうちの凸部３０ａを除く部分と、検知部３１と、電気配線Ｗ１とが収納されている。この樹脂層３２は、好ましくは第１生体装着部２と実質的に同形状の板状体として形成される。【００５３】
ここで、情報検知部３の製法の一例としては、所定の型枠内にＰＤＭＳを流し込む工程、センサ等が装着された基板（検知部３１に相当）を裏返した状態で上記ＰＤＭＳ中に浸漬した後、８０℃の温度条件下で３０分間焼成し、樹脂層３２の一部を形成する工程、上記検知部３１に相当する基板の一方の面において第２磁性体３０との配線部分（後述する電気配線Ｗ１）のみＰＤＭＳを剥がし、該配線部分に電気配線Ｗ１を施して該電気配線Ｗ１を第２磁性体３０と接着させる工程、上記検知部３１に相当する基板の一方の面に、凸部３０ａを残しつつさらにＰＤＭＳを流し込み、８０℃の温度条件下で３０分間焼成し、樹脂層３２の一部を形成する工程、を順次行うことによる製法を挙げることができる。【００５４】
（第１生体装着部２と情報検知部３との接続動作）
次に、図２（ｂ）および図３を参照しながら、第１生体装着部２と情報検知部３の接続動作について説明する。【００５５】
図３に示すように、第２磁性体３０の凸部３０ａと基板層２１の凹部２１ｃとを位置を合わせして、情報検知部３を矢印方向に移動させて凸部３０ａを凹部２１ｃに嵌合することにより、第１磁性体２４が第２磁性体３０に吸着され、第１生体装着部２と情報検知部３とが電気的、機械的に接続され、図２（ｂ）に示した接続状態となる。【００５６】
上記構成によれば、第１生体装着部２と情報検知部３とを第１磁性体２４および第２磁性体３０同士の吸着によって接続することができるので、第１生体装着部２と情報検知部３の接続・分離作業を従来よりもさらに容易に実現することができる。【００５７】
また、上記構成によれば、多孔層として形成された粘着層２０および基板層２１の各孔に汗（水分）を通過させることで、つまり、水分が粘着層２０および基板層２１を浸透可能に構成することで、粘着層２０、基板層２１および第１導電体層２２の粘着強度を維持できる。【００５８】
また、上記構成によれば、第１電極層２３を水素よりもイオン化傾向が小さい銀等で形成することで、第１電極層２３が汗中の水分との化学反応による影響を受け難くでき、情報検知部３による検知を安定して行うことができる。【００５９】
また、上記構成によれば、連結機構として、凹部２１ｃと、この凹部２１ｃと形状的に合致する凸部３０ａとを用いるので、第１磁性体２４および第２磁性体３０同士が接続される際の位置合わせを容易に行うことができる。【００６０】
また、上記構成によれば、第１導電体層２２が、寒天、ＰＤＭＳおよび／またはポリウレタン類縁体等の生体に粘着可能な材料を含むものであるため、生体への粘着性をより向上させることができる。【００６１】
＜第２実施形態＞
次に、図４〜図６を参照しながら、本発明の第２実施形態に係る生体情報検知ユニットについて説明する。なお、上記第１実施形態の部位２０〜２４，３０〜３２と、本実施形態の部位２１９〜２２４，２３０〜２３２（図示していない部位がある）とは、順に同様のものであるので、説明を省略することがある。同様に、上記第１実施形態の部位１９〜２４，３０，３２と、本実施形態の部位２４０〜２４４，２７０，２７２（図示していない部位がある）とは、順に同様のものであるので、説明を省略することがある。同様に、上記第１実施形態の部位１０１〜１０３と、本実施形態の部位１１１〜１１３とは、順に同様のものであるので、説明を省略することがある。また、図５（ａ）においては、説明の都合上、第２磁性体２３０および第４磁性体２７０の外形線（仮想線）を、樹脂層２３２および樹脂層２７２において、それぞれ、第１生体装着部２０２および第２生体装着部２１２が接続される面と反対側の面から見た点線によって表している。同様に、図５（ａ）においては、検知部２３１および電源部２７１の外形線（仮想線）を破線によって表している。【００６２】
（生体情報検知システム２００の全体構成）
図４に示すように、この第２実施形態の生体情報検知ユニット２０１を適用した生体情報検知システム２００は、生体に関する情報を検知可能な生体情報検知ユニット２０１と、情報送信部１１１と、送受信ユニット１１２と、パーソナルコンピュータ１１３とを備えている。【００６３】
（生体情報検知ユニット２０１の全体構成）
図５に示すように、生体情報検知ユニット２０１は、第１生体装着部２０２および第２生体装着部２１２と、第１生体装着部２０２に対応する位置に形成された情報検知部２０３と、第２生体装着部２１２に対応する位置に形成された電源供給部２１３とを備えている。【００６４】
（第１生体装着部２０２、および、第２生体装着部２１２の構成）
図５（ｂ）に示すように、第１生体装着部２０２は、実質的に直方体状の板状体として形成されており、粘着層２２０、基板層２２１の２層からなる第１樹脂層２１９と、第１導電体層２２２と、第１電極層２２３と、第１磁性体２２４とを備えている。【００６５】
同様に、第２生体装着部２１２も、実質的に直方体状の板状体として形成されており、粘着層２４０、基板層２４１の２層からなる第２樹脂層２３９と、第２導電体層２４２と、第２電極層２４３と、第３磁性体２４４とを備えている。【００６６】
図５（ｂ）に示すように、第１生体装着部２０２の第１導電体層２２２、第１電極層２２３および第１磁性体２２４と、第２生体装着部２１２の第２導電体層２４２、第２電極層２４３および第３磁性体２４４とは、第１樹脂層２１９、第１導電体層２２２および第１電極層２２３の積層方向に対して実質的に直交する方向に一定間隔Ｌ２を隔てて形成されている。【００６７】
なお、ここでの一定間隔Ｌ２は、第１生体装着部２０２に対応する位置に形成された情報検知部２０３の第２磁性体２３０の中心Ｃ２１（図５（ａ）参照）と、第２生体装着部２１２に対応する位置に形成された電源供給部２１３の第４磁性体２７０の中心Ｃ２２（図５（ａ）参照）との間の間隔Ｌ１よりも短く設計されている。なお、間隔Ｌ１の寸法は、例えば３ｃｍ〜５ｃｍ程度に設計される。【００６８】
そして、図５（ｂ）に示すように、第１生体装着部２０２の第１樹脂層２１９（粘着層２２０、基板層２２１）および第２生体装着部２１２の第２樹脂層２３９（粘着層２４０、基板層２４１）は、第１導電体層２２２と第２導電体層２４２との間および第１電極層２２３と第２電極層２４３との間に介在して電気的に絶縁しつつ一体的に形成されている。【００６９】
（情報検知部２０３の構成）
情報検知部２０３は、第１生体装着部２０２と実質的に同形状の板状体として形成されており、図５（ａ）に示すように、第２磁性体２３０と、検知部２３１と、樹脂層２３２とを備えている。【００７０】
検知部２３１は、図５（ａ）中の破線で示すように、第２磁性体２３０の外形線（図５（ａ）中の点線）よりも外側において第２磁性体２３０の外周面と中心Ｃ２１を共有する略円形状に形成されている。【００７１】
図５（ｂ）に示すように、検知部２３１は、電気配線Ｗ２１を介して第２磁性体２３０と電気的に接続されている。これにより、検知部２３１は、第２磁性体２３０を介して第１導電体層２２２および第１電極層２２３と電気的に接続可能である。【００７２】
また、検知部２３１は、電気配線Ｗ２３を介して電源部２７１と電気的に接続されており、第４磁性体２７０を介して第２導電体層２４２および第２電極層２４３と導電可能となっている。【００７３】
これにより、検知部２３１は、第１電極層２２３と第２電極層２４３との間の電位差に基づき、第１導電体層２２２および第２導電体層２４２の各面２２２ａ，２４２ａおよび粘着層２２０および粘着層２４０の各面２２０ａ，２４０ａと粘着した状態にある生体に関する情報を検知することができる。【００７４】
（電源供給部２１３の構成）
電源供給部２１３は、第２生体装着部２１２と実質的に同形状の板状体として形成されており、図５（ａ）に示すように、第４磁性体２７０と、電源部２７１と、樹脂層２７２とを備えている。【００７５】
電源部２７１は、検知部２３１に駆動用の電源を供給可能なリチウムイオン二次電池等の充電型の電池として構成されており、図５（ｂ）に示すように、上記電気配線Ｗ２３を介して検知部２３１と電気的に接続されている。【００７６】
また、電源部２７１は、電気配線Ｗ２２を介して第４磁性体２７０と電気的に接続されており、第４磁性体２７０を介して第２導電体層２４２および第２電極層２４３と導電可能となっている。【００７７】
なお、電源部２７１は、図５（ａ）中の破線で示すように、第４磁性体２７０の外形線（図５（ａ）中の点線）よりも外側において第４磁性体２７０の外周面と中心Ｃ２２を共有する実質的に円形状に形成されている。【００７８】
情報検知部２０３における樹脂層２３２と、電源供給部２１３における樹脂層２７２とは、図５（ｂ）に示すように、情報検知部２０３の第２磁性体２３０および検知部２３１と、電源供給部２１３の第４磁性体２７０および電源部２７１との間に介在して電気的に絶縁しつつ一体的に形成されている。【００７９】
（第１生体装着部２０２および第２生体装着部２１２と、情報検知部２０３および電源供給部２１３との接続動作）
次にでは、図５（ｂ）および図６を参照しながら、第１生体装着部２０２および第２生体装着部２１２と、情報検知部２０３および電源供給部２１３との接続動作について説明する。【００８０】
図６に示すように、第１生体装着部２０２および第２生体装着部２１２と、情報検知部２０３および電源供給部２１３との各外周部の位置を相互に対応するように位置合わせした状態から、情報検知部２０３および電源供給部２１３を矢印方向に、第１生体装着部２０２および第２生体装着部２１２に向かって移動させて、第２磁性体２３０の凸部２３０ａおよび第４磁性体２７０の凸部２７０ａを、基板層２２１の凹部２２１ｃおよび基板層２４１の凹部２４１ｃに嵌合することにより、第１磁性体２２４および第３磁性体２４４が、それぞれ、第２磁性体２３０および第４磁性体２７０に吸着され、図５（ｂ）に示すように、第１生体装着部２０２および第２生体装着部２１２と、情報検知部２０３および電源供給部２１３との接続動作が完了する。【００８１】
上記構成によれば、上記第１実施形態の生体情報検知ユニット１と同様の効果を得ることができる。【００８２】
また、上記構成によれば、第１樹脂層２１９（粘着層２２０、基板層２２１）および第２樹脂層２３９（粘着層２４０、基板層２４１）が一体的に形成された第１生体装着部２０２および第２生体装着部２１２に対しても、第１磁性体２２４および第２磁性体２３０同士、第３磁性体２４４および第４磁性体２７０同士の吸着を利用すれば、第１生体装着部２０２および第２生体装着部２１２と、情報検知部２０３および電源供給部２１３とを容易に接続することができる。【００８３】
また、上記構成によれば、鉄等の磁性を帯びることが可能な材料からなる鉄板等で第１磁性体２２４および第３磁性体２４４を構成するとともに、鉄板等よりも高価な磁石で第２磁性体２３０および第４磁性体２７０を構成し、充電型の電池で電源供給部２１３の電源部２７１を構成することで、情報検知部２０３および電源供給部２１３を使い捨てることなく使い続けることができる。その結果、情報検知部２０３および電源供給部２１３を使い捨てる場合よりも、情報検知部２０３および電源供給部２１３の交換等に要する生体情報検知ユニット２０１の管理コストを低減できる。【００８４】
また、上記構成によれば、上記間隔Ｌ１の寸法を、例えば３ｃｍ〜５ｃｍ程度の比較的短い寸法に設計可能であるため、生体情報検知ユニット２０１による検知動作を実現しつつ、生体情報検知ユニット２０１のコンパクト化（軽量化）を図ることができる。【００８５】
＜第３実施形態＞
次に、図７〜図９を参照しながら、本発明の第３実施形態に係る生体情報検知ユニットについて説明する。なお、上記第１実施形態の部位１９〜２４，２９〜３２と、本実施形態の部位３１９〜３２４，３２９〜３３２（図示していない部位がある）とは、順に同様のものであるので、説明を省略することがある。同様に、上記第１実施形態の部位１９〜２４，３０，３２と、本実施形態の部位３３９〜３４４，３７０，３７２（図示していない部位がある）とは、順に同様のものであるので、説明を省略することがある。同様に、上記第１実施形態の部位１９〜２４，３０，３２と、本実施形態の部位３７９〜３８４，３９０，３９２（図示していない部位がある）とは、順に同様のものであるので、説明を省略することがある。同様に、上記第１実施形態の部位１０２，１０３と、本実施形態の部位１２２，１２３とは、順に同様のものであるので、説明を省略することがある。【００８６】
また、図８（ａ）においては、説明の都合上、第２磁性体３３０、第４磁性体３７０、第６磁性体３９０の外形線（仮想線）を、樹脂層３３２，３７２，３９２において、それぞれ、第１生体装着部３０２、第２生体装着部３１２および第３生体装着部３６２が接続される面と反対側の面から見た点線によって表している。同様に、図８（ａ）においては、検知部３３１、電源部３７１、および、送信部３９１の外形線（仮想線）を破線によって表している。【００８７】
（生体情報検知システム３００の全体構成）
図７に示すように、本実施形態の生体情報検知ユニット３０１を適用した生体情報検知システム３００は、生体に関する情報を検知可能な生体情報検知ユニット３０１と、送受信ユニット１２２と、パーソナルコンピュータ１２３とを備えている。【００８８】
（生体情報検知ユニット３０１の全体構成）
図８に示すように、生体情報検知ユニット３０１は、第１生体装着部３０２、第２生体装着部３１２および第３生体装着部３６２と、第１生体装着部３０２に対応する位置に形成された情報検知部３０３と、第２生体装着部３１２に対応する位置に形成された電源供給部３１３と、第３生体装着部３６２に対応する位置に形成された情報送信部３６３とを備えている。【００８９】
（第１生体装着部３０２、第２生体装着部３１２、および、第３生体装着部３６２の構成）
第１生体装着部３０２は、実質的に直方体状の板状体として形成されており、図８（ｂ）に示すように、粘着層３２０、基板層３２１の２層からなる第１樹脂層３１９と、第１導電体層３２２と、第１電極層３２３と、第１磁性体３２４とを備えている。【００９０】
同様に、第２生体装着部３１２は、第１生体装着部３０２よりも図８（ｂ）紙面左側において、実質的に直方体状の板状体として形成されており、粘着層３４０、基板層３４１の２層からなる第２樹脂層３３９と、第２導電体層３４２と、第２電極層３４３と、第３磁性体３４４とを備えている。【００９１】
同様に、第３生体装着部３６２は、第１生体装着部３０２よりも図８（ｂ）紙面右側において、実質的に直方体状の板状体として形成されており、粘着層３８０、基板層３８１の２層からなる第３樹脂層３７９と、第３導電体層３８２と、第３電極層３８３と、第５磁性体３８４とを備えている。【００９２】
図８（ｂ）に示すように、第１生体装着部３０２の第１導電体層３２２、第１電極層３２３および第１磁性体３２４と、第２生体装着部３１２の第２導電体層３４２、第２電極層３４３および第３磁性体３４４とは、第１樹脂層３１９、第１導電体層３２２および第１電極層３２３の積層方向に対して実質的に直交する方向に一定間隔Ｌ４を隔てて形成されている。【００９３】
同様に、第１生体装着部３０２の第１導電体層３２２、第１電極層３２３および第１磁性体３２４と、第３生体装着部３６２の第３導電体層３８２、第３電極層３８３および第５磁性体３８４とは、第１樹脂層３１９、第１導電体層３２２および第１電極層３２３の積層方向に対して実質的に直交する方向に一定間隔Ｌ４を隔てて形成されている。【００９４】
なお、ここでの一定間隔Ｌ４は、第１生体装着部３０２に対応する位置に形成された情報検知部３０３の第２磁性体３３０の中心Ｃ３１（図８（ａ）参照）と、第２生体装着部３１２に対応する位置に形成された電源供給部３１３の第４磁性体３７０の中心Ｃ３２（図８（ａ）参照）、または、第３生体装着部３６２に対応する位置に形成された情報送信部３６３の第６磁性体３９０の中心Ｃ３３（図８（ａ）参照）との間の間隔Ｌ３よりも短く設計されている。なお、間隔Ｌ３の寸法は、例えば３ｃｍ〜５ｃｍ程度に設計されてよい。【００９５】
そして、図８（ｂ）に示すように、第１生体装着部３０２の第１樹脂層３１９（粘着層３２０、基板層３２１）および第２生体装着部３１２の第２樹脂層３３９（粘着層３４０、基板層３４１）は、第１導電体層３２２と第２導電体層３４２との間および第１電極層３２３と第２電極層３４３との間に介在して絶縁しつつ一体的に形成されている。【００９６】
同様に、第１生体装着部３０２の第１樹脂層３１９（粘着層３２０、基板層３２１）および第３生体装着部３６２の第３樹脂層３７９（粘着層３８０、基板層３８１）は、第１導電体層３２２と第３導電体層３８２との間および第１電極層３２３と第３電極層３８３との間に介在して絶縁しつつ一体的に形成されている。【００９７】
（情報検知部３０３の構成）
情報検知部３０３は、第１生体装着部３０２と実質的に同形状の板状体として形成されており、図８（ａ）に示すように、第２磁性体３３０と、検知部３３１と、樹脂層３３２とを備えている。【００９８】
検知部３３１は、図８（ａ）中の破線で示すように、第２磁性体３３０の外形線（図８（ａ）中の点線）よりも外側において第２磁性体３３０の外周面と中心Ｃ３１を共有する略円形状に形成されている。【００９９】
検知部３３１は、図８（ｂ）に示すように、電気配線Ｗ３１を介して第２磁性体３３０と電気的に接続されている。これにより、検知部３３１は、第２磁性体３３０を介して第１導電体層３２２および第１電極層３２３と導電可能である。【０１００】
また、検知部３３１は、図８（ｂ）に示すように、電気配線Ｗ３４を介して電源部３７１と電気的に接続されており、第４磁性体３７０を介して第２導電体層３４２および第２電極層３４３と導電可能である。【０１０１】
さらに、検知部３３１は、図８（ｂ）に示すように、電気配線Ｗ３５を介して送信部３９１と電気的に接続されており、第６磁性体３９０を介して第３導電体層３８２および第３電極層３８３と導電可能である。【０１０２】
これにより、検知部３３１は、第１電極層３２３を基準電極とする、第２電極層３４３および第３電極層３８３の間の電位差に基づき、第１導電体層３２２、第２導電体層３４２および第３導電体層３８２の各面３２２ａ，３４２ａ，３８２ａより生体に関する情報を検知することができる。【０１０３】
（電源供給部３１３の構成）
電源供給部３１３は、第２生体装着部３１２と実質的に同形状の板状体として形成されており、図８（ａ）に示すように、第４磁性体３７０と、電源部３７１と、樹脂層３７２とを備えている。【０１０４】
電源部３７１は、検知部３３１に駆動用の電源を供給可能なリチウムイオン二次電池等の充電型の電池として構成されており、図８（ｂ）に示すように、電気配線Ｗ３４を介して検知部３３１と電気的に接続されている。【０１０５】
また、電源部３７１は、図８（ｂ）に示すように、電気配線Ｗ３２を介して第４磁性体３７０と電気的に接続されており、第４磁性体３７０を介して第２導電体層３４２および第２電極層３４３と導電可能となっている。【０１０６】
なお、電源部３７１は、図８（ａ）中の破線で示すように、第４磁性体３７０の外形線（図８（ａ）中の点線）よりも外側において第４磁性体３７０の外周面と中心Ｃ３２を共有する実質的に円形状に形成されている。【０１０７】
情報検知部３０３における樹脂層３３２と、電源供給部３１３における３７２は、図８（ｂ）に示すように、情報検知部３０３の第２磁性体３３０および検知部３３１と、電源供給部３１３の第４磁性体３７０および電源部３７１との間に介在して絶縁しつつ一体的に形成されている。【０１０８】
（情報送信部３６３の構成）
情報送信部３６３は、第２生体装着部３１２と実質的に同形状の板状体として形成されており、図８（ａ）に示すように、第６磁性体３９０と、送信部３９１と、樹脂層３９２とを備えている。【０１０９】
送信部３９１は、検知部３３１による検知結果を無線方式で送受信ユニット１２２（図７参照）に送信可能なアンテナおよび無線Ｉ／Ｆ（Ｉｎｔｅｒｆａｃｅ）回路等で構成されており、図８（ｂ）に示すように、電気配線Ｗ３５を介して検知部３３１と電気的に接続されている。【０１１０】
また、送信部３９１は、図８（ｂ）に示すように、電気配線Ｗ３３を介して第６磁性体３９０と電気的に接続されており、第６磁性体３９０を介して第３導電体層３８２および第３電極層３８３と導電可能となっている。【０１１１】
なお、送信部３９１は、図８（ａ）中の破線で示すように、第６磁性体３９０の外形線（図８（ａ）中の点線）よりも外側において第６磁性体３９０の外周面と中心Ｃ３３を共有する略円形状に形成されている。【０１１２】
情報検知部３０３における樹脂層３３２と、情報送信部３６３における樹脂層３９２とは、図８（ｂ）に示すように、情報検知部３０３の第２磁性体３３０および検知部３３１と、情報送信部３６３の第６磁性体３９０および送信部３９１との間に介在して絶縁しつつ一体的に形成されている。【０１１３】
（第１生体装着部３０２、第２生体装着部３１２、および、第３生体装着部３６２と、情報検知部３０３、電源供給部３１３、および、情報送信部３６３との接続動作）
次に、図８（ｂ）および図９を参照しながら、第１生体装着部３０２、第２生体装着部３１２および第３生体装着部３６２と、情報検知部３０３、電源供給部３１３および情報送信部３６３との接続動作について説明する。【０１１４】
図９に示すように、第１生体装着部３０２、第２生体装着部３１２および第３生体装着部３６２と、情報検知部３０３、電源供給部３１３および情報送信部３６３との各外周部の位置を相互に対応するように位置合わせした状態から、情報検知部３０３、電源供給部３１３および情報送信部３６３を矢印方向に移動させて、第２磁性体３３０の凸部３３０ａ、第４磁性体３７０の凸部３７０ａおよび第６磁性体３９０の凸部３９０ａを、基板層３２１の凹部３２１ｃ、基板層３４１の凹部３４１ｃ、基板層３８１の凹部３８１ｃに嵌合することにより、第１磁性体３２４、第３磁性体３４４および第５磁性体３８４が、それぞれ、第２磁性体３３０、第４磁性体３７０、および、第６磁性体３９０に吸着され、図８（ｂ）に示すように、第１生体装着部３０２、第２生体装着部３１２および第３生体装着部３６２と、情報検知部３０３、電源供給部３１３および情報送信部３６３との接続動作が完了する。【０１１５】
上記構成によれば、上記第１実施形態の生体情報検知ユニット１と同様の効果を得ることができる。【０１１６】
また、上記構成によれば、第１樹脂層３１９（粘着層３２０、基板層３２１）、第２樹脂層３３９（粘着層３４０、基板層３４１）および第３樹脂層３７９（粘着層３８０、基板層３８１）が一体的に形成された第１生体装着部３０２、第２生体装着部３１２および第３生体装着部３６２に対しても、第１磁性体３２４および第２磁性体３３０同士、第３磁性体３４４および第４磁性体３７０同士、第５磁性体３８４および第６磁性体３９０同士の吸着を利用すれば、第１生体装着部３０２、第２生体装着部３１２および第３生体装着部３６２と、情報検知部３０３、電源供給部３１３および情報送信部３６３とを容易に接続することができる。【０１１７】
また、上記構成によれば、検知部３３１による検知結果を送受信ユニット１２２（図７参照）に送信可能な送信部３９１を備えることで、検知部３３１の検知結果を送受信ユニット１２２に送信するための別ユニットが不要となるので、別ユニットを用いて送受信ユニット１２２に送信する場合よりも部品点数を減らすことが可能となる。【０１１８】
また、上記構成によれば、鉄等の磁性を帯びることが可能な材料からなる鉄板等で第１磁性体３２４、第３磁性体３４４および第５磁性体３８４を構成するとともに、鉄板等よりも高価な磁石で第２磁性体３３０、第４磁性体３７０および第６磁性体３９０を構成し、充電型の電池で電源供給部３１３の電源部３７１を構成することで、情報検知部３０３、電源供給部３１３および情報送信部３６３を使い捨てることなく使い続けることができる。【０１１９】
その結果、情報検知部３０３、電源供給部３１３および情報送信部３６３を使い捨てる場合よりも、情報検知部３０３、電源供給部３１３および情報送信部３６３の交換等による生体情報検知ユニット３０１の管理コストを低減できる。【０１２０】
また、上記構成によれば、上記間隔Ｌ３の寸法を、例えば３ｃｍ〜５ｃｍ程度の比較的短い寸法に設計可能であるため、生体情報検知ユニット３０１による検知動作を実現しつつ、生体情報検知ユニット３０１のコンパクト化（軽量化）を図ることができる。【０１２１】
＜第４実施形態＞
次に、図１０〜図１４を参照しながら、本発明の第４実施形態に係る生体情報検知ユニットについて説明する。なお、上記第３実施形態の部位３０２，３１９〜３２４，３２９〜３３２と、本実施形態の部位４０２，４１９〜４２４，４２９〜４３２（図示していない部位がある）とは、順に同様のものであるので、説明を省略することがある。同様に、上記第３実施形態の部位３１２，３３９〜３４４，３７０〜３７２と、本実施形態の部位４１２，４３９〜４４４，４７０〜４７２（図示していない部位がある）とは、順に同様のものであるので、説明を省略することがある。同様に、上記第３実施形態の部位３６２，３７９〜３８４，３９０〜３９２と、本実施形態の部位４６２，４７９〜４８４，４９０〜４９２（図示していない部位がある）とは、順に同様のものであるので、説明を省略することがある。同様に、上記第３実施形態の部位１２２，１２３と、本実施形態の部位１３２，１３３とは、順に同様のものであるので、説明を省略することがある。【０１２２】
また、図１１においては、説明の都合上、第２磁性体４３０、第４磁性体４７０、第６磁性体４９０の外形線（仮想線）を、樹脂層４３２，４７２，４９２において、それぞれ、第１生体装着部４０２、第２生体装着部４１２、および、第３生体装着部４６２が接続される面と反対側の面から見た点線によって表している。同様に、図１１においては、検知部４３１、電源部４７１、および、送信部４９１の外形線（仮想線）を破線によって表している。【０１２３】
（生体情報検知システム４００の全体構成）
図１０に示すように、本実施形態の生体情報検知ユニット４０１を適用した生体情報検知システム４００は、生体に関する情報を検知可能な生体情報検知ユニット４０１と、送受信ユニット１３２と、パーソナルコンピュータ１３３とを備えている。【０１２４】
（生体情報検知ユニット４０１の全体構成）
図１１および図１２に示すように、生体情報検知ユニット４０１は、第１生体装着部４０２、第２生体装着部４１２および第３生体装着部４６２と、第１生体装着部４０２に対応する位置に形成された情報検知部４０３と、第２生体装着部４１２に対応する位置に形成された電源供給部４１３と、第３生体装着部４６２に対応する位置に形成された情報送信部４６３とを備えている。【０１２５】
（第１生体装着部４０２、第２生体装着部４１２、および、第３生体装着部４６２の構成）
第１生体装着部４０２は、実質的に直方体状の板状体として形成されており、図１２（ａ）に示すように、粘着層４２０、基板層４２１の２層からなる第１樹脂層４１９と、第１導電体層４２２と、第１電極層４２３と、第１磁性体４２４とを備えている。【０１２６】
同様に、第２生体装着部４１２も、実質的に直方体状の板状体として形成されており、図１２（ｂ）に示すように、粘着層４４０、基板層４４１の２層からなる第２樹脂層４３９と、第２導電体層４４２と、第２電極層４４３と、第３磁性体４４４とを備えている。【０１２７】
同様に、第３生体装着部４６２も、実質的に直方体状の板状体として形成されており、図１２（ｃ）に示すように、粘着層４８０、基板層４８１の２層からなる第３樹脂層４７９と、第３導電体層４８２と、第３電極層４８３と、第５磁性体４８４とを備えている。【０１２８】
第２生体装着部４１２は、後述する電気配線Ｗ４４（第１導電線）の伸縮に応じて第１生体装着部４０２との間の距離を調整可能に配置される。また、第３生体装着部４６２も、後述する電気配線Ｗ４５（第２導電線）の伸縮に応じて第１生体装着部４０２との間の距離を調整可能に配置される。【０１２９】
（情報検知部４０３の構成）
情報検知部４０３は、第１生体装着部４０２と実質的に同形状の板状体として形成されており、図１１に示すように、第２磁性体４３０と、検知部４３１と、樹脂層４３２とを備えている。【０１３０】
検知部４３１は、図１１中の破線で示すように、第２磁性体４３０の外形線（図１１中の点線）よりも外側において第２磁性体４３０の外周面と中心を共有する実質的に円形状に形成されている。【０１３１】
この検知部４３１は、図１２（ａ）に示すように、電気配線Ｗ４１を介して第２磁性体４３０と電気的に接続されており、第２磁性体４３０を介して第１導電体層４２２および第１電極層４２３と導電可能となっている。【０１３２】
また、検知部４３１は、図１１に示すように、伸縮可能な電気配線Ｗ４４（第１導電線）を介して電源部４７１と電気的に接続されており、図１２（ｂ）に示すように、第４磁性体４７０を介して第２導電体層４４２および第２電極層４４３と導電可能である。【０１３３】
さらに、検知部４３１は、図１１に示すように、伸縮可能な電気配線Ｗ４５（第２導電線）を介して送信部４９１と電気的に接続されており、図１２（ｃ）に示すように、第６磁性体４９０を介して第３導電体層４８２および第３電極層４８３と導電可能となっている。【０１３４】
この第４実施形態で使用される電気配線Ｗ４４，Ｗ４５の一例としては、図１４に示すように、データコントロルズ株式会社製のカールパッチケーブルＣＰＣ１−Ｓ−ＳＣ／ＳＣ−２．５（商品名）を用いることができる。ここで、図１４に示す第１コネクタまたは第２コネクタは、検知部４３１、電源部４７１、送信部４９１のそれぞれに設けられたコネクタ（図示せず）に、電気的に接続可能な形状となっている。【０１３５】
そして、検知部４３１は、第１電極層４２３を基準電極とする、第２電極層４４３および第３電極層４８３の間の電位差に基づき、第１導電体層４２２、第２導電体層４４２および第３導電体層４８２の各面４２２ａ，４４２ａ，４８２ａより生体に関する情報を検知する。【０１３６】
（電源供給部４１３の構成）
電源供給部４１３は、第２生体装着部４１２と実質的に同形状の板状体として形成されており、図１１に示すように、第４磁性体４７０と、電源部４７１と、樹脂層４７２とを備えている。【０１３７】
電源部４７１は、検知部４３１に駆動用の電源を供給可能なリチウムイオン二次電池等の充電型の電池として構成されており、図１１に示すように、電気配線Ｗ４４を介して検知部４３１と電気的に接続されている。【０１３８】
また、電源部４７１は、図１２（ｂ）に示すように、電気配線Ｗ４２を介して第４磁性体４７０と電気的に接続されており、第４磁性体４７０を介して第２導電体層４４２および第２電極層４４３と導電可能となっている。【０１３９】
なお、電源部４７１は、図１１中の破線で示すように、第４磁性体３７０の外形線（図１１中の点線）よりも外側において第４磁性体４７０の外周面と中心を共有する略円形状に形成されている。【０１４０】
（情報送信部４６３の構成）
情報送信部４６３は、第３生体装着部４６２と実質的に同形状の板状体として形成されており、図１１に示すように、第６磁性体４９０と、送信部４９１と、樹脂層４９２とを備えている。【０１４１】
送信部４９１は、検知部４３１による検知結果を無線方式で送受信ユニット１３２（図１０参照）に送信可能なアンテナおよび無線Ｉ／Ｆ（Ｉｎｔｅｒｆａｃｅ）回路等で構成されており、電気配線Ｗ４５を介して検知部４３１と電気的に接続されている。【０１４２】
また、送信部４９１は、図１２（ｃ）に示すように、電気配線Ｗ４３を介して第６磁性体４９０と電気的に接続されており、第６磁性体４９０を介して第３導電体層４８２および第３電極層４８３と導電可能となっている。【０１４３】
なお、送信部４９１は、図１１中の破線で示すように、第６磁性体４９０の外形線（図１１中の点線）よりも外側において第６磁性体４９０の外周面と中心を共有する略円形状に形成されている。【０１４４】
（第１生体装着部４０２と情報検知部４０３との接続動作）
次に、図１２（ａ）および図１３を参照しながら、第１生体装着部４０２および情報検知部４０３の接続動作について説明する。なお、第２生体装着部４１２および電源供給部４１３の接続動作と、第３生体装着部４６２および情報送信部４６３の接続動作とは、いずれも、第１生体装着部４０２および情報検知部４０３の接続動作と同様のものであるので、説明を省略する。【０１４５】
図１３に示すように、第１生体装着部４０２および情報検知部４０３の各外周部の位置が相互に対応するように位置合わせした状態から、情報検知部４０３を矢印方向に第１生体装着部４０２に向かって移動させ、第２磁性体４３０の凸部４３０ａを基板層４２１の凹部４２１ｃに嵌合することにより、第１磁性体４２４が第２磁性体４３０に吸着され、第１生体装着部４０２と情報検知部４０３との接続動作が完了し、図１２（ａ）に示した状態となる。【０１４６】
上記構成によれば、上記第３実施形態の生体情報検知ユニット３０１と同様の効果を得ることができる。【０１４７】
また、上記構成によれば、第１生体装着部４０２および第２生体装着部４１２の間の距離を電気配線Ｗ４４の伸縮に応じて調整可能であるとともに、第１生体装着部４０２および第３生体装着部４６２の間の距離を電気配線Ｗ４５の伸縮に応じて調整可能であるので、情報検知部４０３、電源供給部４１３および情報送信部４６３のそれぞれに取り付けられる第１生体装着部４０２〜第３生体装着部４６２の間の距離を、生体情報検知ユニット４０１の用途に応じて調整することができる。【０１４８】
その結果、牛または鳥等の生体に第１生体装着部４０２〜第３生体装着部４６２を装着して、生体内に蓄積される体脂肪量の測定または生体の脳波の測定といった生体の健康管理を行う際に、電気配線Ｗ４４，Ｗ４５が生体の動きによって引っ張られたとしても、第１生体装着部４０２〜第３生体装着部４６２が生体から外れ難くすることができる。【０１４９】
また、被験者であるヒトに第１生体装着部４０２〜第３生体装着部４６２を装着して、目（まばたき）、脚、顎、脚、手、首、腰等の身体部分における筋肉の活動に関する情報を検知する際に、電気配線Ｗ４４，Ｗ４５がヒトの筋肉の動きによって引っ張られたとしても、第１生体装着部４０２〜第３生体装着部４６２がヒトから外れ難くすることができる。【０１５０】
以上、本発明の実施形態について図面に基づいて説明したが、具体的な構成は、これらの実施形態に限定されるものではないと考えられるべきである。本発明の範囲は、上記した実施形態の説明ではなく特許請求の範囲によって示され、さらに特許請求の範囲と均等の意味および範囲内でのすべての変更が含まれる。【０１５１】
なお、上記各実施形態では、生体情報検知ユニットおよびパーソナルコンピュータ等の各ユニット間の通信を無線方式で実現する例について述べたが、本発明はこれに限定されず、各ユニット間の通信を有線方式で実現してもよい。【０１５２】
なお、上記第２実施形態では、鉄板等で第１磁性体２２４および第３磁性体２４４を構成するとともに、鉄板等よりも高価な磁石で第２磁性体２３０および第４磁性体２７０を構成し、充電型の電池で電源供給部２１３の電源部２７１を構成する例について述べたが、本発明はこれに限定されず、電源供給部を非充電型の一次電池として構成するとともに、磁石で第１磁性体および第３磁性体を構成し、磁石よりも安価な鉄板等（例えば、鉄製のワッシャ）で第２磁性体および第４磁性体を構成してもよい。【０１５３】
この構成によれば、電源供給部を充電不可能なボタン型等の一次電池で構成することで、情報検知部または情報送信部を使い捨てるとともに、各生体装着部を所定期間使い捨てることなく使い続けることができる。【０１５４】
その結果、各生体装着部を使い捨てる場合よりも、各生体装着部の交換等による生体情報検知ユニットの管理コストを低減できる。さらに、上記第３および第４実施形態において、磁石を第５磁性体として使用するとともに、磁石よりも安価な鉄板等（例えば、鉄製のワッシャ）を第６磁性体として使用した場合でも同様である。これらの構成を適宜組み合わせた場合には、磁力を利用することによって、より容易に各部を適切な位置に取り付けることができると共に、電気的に接続することが可能となる。【０１５５】
なお、上記第３実施形態では、第２生体装着部３１２を、第１生体装着部３０２よりも図８（ｂ）紙面左側に配置するとともに、第３生体装着部３６２を、第１生体装着部３０２よりも図８（ｂ）紙面右側に配置する例について述べたが、本発明はこの配置に限定されず、第１生体装着部３０２、第２生体装着部３１２および第３生体装着部３６２の各位置は変更できる。【０１５６】
同様に、第１生体装着部３０２に対応する情報検知部３０３、第２生体装着部３１２に対応する電源供給部３１３、および、第３生体装着部３６２に対応する情報送信部３６３の各位置も変更できる。【０１５７】
また、上記第３および第４実施形態では、検知部３３１，４３１が、第１電極層３２３，４２３を基準電極とする、第２電極層３４３，４４３および第３電極層３８３，４８３の間の電位差に基づき生体に関する情報を検知可能な例について述べたが、本発明はこの検知方法に限定されず、第２電極層３４３，４４３を基準電極とする、第１電極層３２３，４２３および第３電極層３８３，４８３の間の電位差に基づき生体に関する情報を検知してもよく、第３電極層３８３，４８３を基準電極とする、第１電極層３２３，４２３、および、第２電極層３４３，４４３の間の電位差に基づき生体に関する情報を検知してもよい。【０１５８】
なお、上記各実施形態では、第２、第４および第６磁性体、検知部、電源部、および、送信部の外周面を実質的に円形状に形成する例について述べたが（図２（ａ），図５（ａ），図８（ａ），図１１参照）、この形状に限定されず、楕円形状または多角形状等種々の形状に形成できる。【０１５９】
また、上記各実施形態では、第１〜第３樹脂層を二層のものとしたが、これに限られず、一層でもよいし、三層以上のものとしてもよい。なお、第１〜第３樹脂層を一層のものとする場合には、生体に粘着させる面を粘着度の高いものとし、該面から反対側の面にかけて徐々に粘着度の低い面または粘着しない面となる傾斜層としてもよい。【０１６０】
また、上記第３および第４実施形態では、生体情報検知ユニットによる検知結果を無線方式で外部ユニットに送信する例について述べたが、生体情報検知ユニットが、該外部ユニットへのアクセス状況、被験者であるヒトによる操作状況、および、生体情報検知ユニットの稼働状況等を時系列で記録に残すロギング機能を有するものでもよい。この場合、例えば入浴中の被験者の脈拍数または心電等の生体情報を計測可能なように、生体情報検知ユニットが防水機能を備えることが好ましい。
【符号の説明】
【０１６１】
１、２０１、３０１、４０１    生体情報検知ユニット
２、２０２、３０２、４０２    第１生体装着部
３、２０３、３０３、４０３    情報検知部
１９、２１９、３１９、４１９    第１樹脂層
２０、２２０、２４０、３２０、３４０、３８０、４２０、４４０、４８０    粘着層
２１、２２１、２４１、３２１、３４１、３８１、４２１、４４１、４８１    基板層
２０ａ、２０ｂ、２１ａ、２２ａ、２２ｂ、２３ａ、２３ｂ、２２０ａ、２２２ａ、３２０ａ、３２２ａ、４２０ａ、４２２ａ    面
２０ｃ、２１ｂ、２２０ｃ、２２１ｂ、３２０ｃ、３２１ｂ    第１孔
２１ｃ、２２１ｃ、３２１ｃ、２４１ｃ、３４１ｃ、３８１ｃ    凹部
２２、２２２、３２２、４２２    第１導電体層
２４２、３４２、４４２    第２導電体層
３８２、４８２    第３導電体層
２３、２２３、３２３、４２３    第１電極層
２４３、３４３、４４３    第２電極層
３８３、４８３    第３電極層
２４、２２４、３２４、４２４    第１磁性体
３０、２３０、３３０、４３０    第２磁性体
２４４、３４４、４４４    第３磁性体
２７０、３７０、４７０    第４磁性体
３８４、４８４    第５磁性体
３９０、４９０    第６磁性体
３０ａ、２３０ａ、２７０ａ、３３０ａ、３７０ａ、３９０ａ    凸部
３１、２３１、３３１、４３１    検知部
３２、２３２、２７２、３３２、３７２、３９２、４３２、４７２、４９２    樹脂層
１００、２００、３００、４００    生体情報検知システム
１０１、１１１、３６３、４６３    情報送信部
１０２、１１２、１２２、１３２    送受信ユニット
１０３、１１３、１２３、１３３    パーソナルコンピュータ
１０３ａ、１１３ａ、１２３ａ、１３３ａ    ディスプレイ
１０３ｂ、１１３ｂ、１２３ｂ、１３３ｂ    キーボード
２１２、３１２、４１２    第２生体装着部
２１３、３１３、４１３    電源供給部
２３９、３３９、４３９    第２樹脂層
２４０ｃ、２４１ｂ、３４０ｂ、３４１ｃ    第２孔
２７１、３７１、４７１    電源部
３６２、４６２    第３生体装着部
３７９、４７９    第３樹脂層
３８０ｃ、３８１ｂ    第３孔
３９１、４９１    送信部
Ｃ１、Ｃ２１、Ｃ２２、Ｃ３１、Ｃ３２、Ｃ３３    中心
Ｌ１、Ｌ２、Ｌ３、Ｌ４    間隔
Ｗ１、Ｗ２１、Ｗ２２、Ｗ２３、Ｗ３１、Ｗ３２、Ｗ３３、Ｗ３４、Ｗ３５、Ｗ４１、Ｗ４２、Ｗ４３、Ｗ４４、Ｗ４５    電気配線
【図１】
2013088747.tif 000003
【図２】
2013088747.tif 000004
【図３】
2013088747.tif 000005
【図４】
2013088747.tif 000006
【図５】
2013088747.tif 000007
【図６】
2013088747.tif 000008
【図７】
2013088747.tif 000009
【図８】
2013088747.tif 000010
【図９】
2013088747.tif 000011
【図１０】
2013088747.tif 000012
【図１１】
2013088747.tif 000013
【図１２】
2013088747.tif 000014
【図１３】
2013088747.tif 000015
【図１４】
2013088747.tif 000016
【国際調査報告】
2013088747.tif 000017
2013088747.tif 000018
2013088747.tif 000019
2013088747.tif 000020